(57)【要約】【課題】使い勝手がよくコストが安価でデザインの自由度がある安全性の高い待機電力を低減しための電源回路を提供することを目的とする。【解決手段】商用電源を整流平滑する電源平滑部２と、電源平滑部２の電圧を降圧して出力する電源生成部３と、電源生成部３の出力をＯＮ／ＯＦＦできる開閉部４と、電源生成部３の出力に設けられた開閉部４を駆動する駆動部６と、駆動部６への電圧印加をＯＮ／ＯＦＦ保持できるスイッチ５を備えたことにより、電源生成部３の降圧した出力をスイッチ５で行うため、スイッチのサイズや接点容量を小さくすることができ待機電力も低減した電源回路が得られる。【選択図】図１
2006025479.tif 000002
【特許請求の範囲】
【請求項１】
商用電源を整流平滑する電源平滑部と、この電源平滑部の電圧を入力として降圧した電圧を出力する電源生成部と、この電源生成部の出力を通電非通電できる開閉部を有し、前記電源生成部の出力により動作するマイコンおよび負荷回路を商用電源から見て前記開閉部以降に設けた電源回路。
【請求項２】
商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部への電圧印加をＯＮ／ＯＦＦ保持できるスイッチを有し、前記電源生成部の出力により動作するマイコンおよび負荷回路を商用電源から見て前記開閉部以降に設けた電源回路。
【請求項３】
商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮスイッチと、前記駆動部への電圧印加が保持できる保持部と、この保持部をＯＦＦにするＯＦＦスイッチを有し、前記電源生成部の出力により動作するマイコンおよび負荷回路を商用電源から見て前記開閉部以降に設けた電源回路。
【請求項４】
商用電源を整流平滑する電源平滑部と、この電源平滑部の電圧を入力として降圧した電圧を出力する電源生成部と、この電源生成部に設けられた運転／停止できる端子と、この端子に接続されたＯＮスイッチと、このＯＮスイッチと並列に設けられた開閉部と、この開閉部を駆動する駆動部と、この駆動部へ電圧印加が保持できる保持部と、この保持部をＯＦＦするＯＦＦスイッチを有し、前記電源生成部の出力により動作するマイコンおよび負荷回路を商用電源から見て前記開閉部以降に設けた電源回路。
【請求項５】
ＯＦＦ信号を入力するＯＦＦスイッチと、このＯＦＦスイッチの入力により前記保持部をＯＦＦにするマイコンを有し、前記電源生成部の出力により動作する前記マイコンおよび負荷回路を商用電源から見て前記開閉部以降に設けた請求項３、４いずれか記載の電源回路。
【請求項６】
商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮ／ＯＦＦスイッチと、前記駆動部と前記ＯＮ／ＯＦＦスイッチとの間に前記駆動部への電圧が印加できる方向に直列に挿入されたダイオードと、前記駆動部への電圧印加が保持できるように前記ＯＮ／ＯＦＦスイッチと前記ダイオードと並列に設けられた保持部と、前記ＯＮ／ＯＦＦスイッチの信号により前記保持部をＯＦＦするマイコンを有し、前記ＯＮ／ＯＦＦスイッチの信号は前記ＯＮ／ＯＦＦスイッチと前記ダイオードの間から信号変換部を介して前記マイコンに入力し、前記電源生成部の出力により動作する前記マイコンおよび負荷回路を商用電源から見て前記開閉部以降に設けた電源回路。
【請求項７】
商用電源を整流平滑する電源平滑部と、この電源平滑部の電圧を入力として降圧した電圧を出力する電源生成部と、この電源生成部の出力を通電非通電できる開閉部と、この開閉部を駆動する駆動部と、赤外線リモコン信号に対応して信号を出力する商用電源から見て前記開閉部以前に設けられた赤外線受光素子と、この赤外線受光素子の出力により前記駆動部へ電圧印加するスイッチング素子と、前記駆動部への電圧印加が保持できる保持部と、この保持部をＯＦＦできるマイコンを有し、前記スイッチング素子は前記赤外線受光素子の出力により前記駆動部へ電圧印加し前記開閉部を閉じ、前記開閉部が閉じた状態で前記マイコンに前記赤外線受光素子から電源ＯＦＦの信号が入力されると前記保持回路をＯＦＦするものとし、前記電源生成部の出力により動作する前記マイコンおよび負荷回路を商用電源から見て前記開閉部以降に設けた電源回路。
【請求項８】
前記マイコンは前記開閉部が通電状態となりリセット解除されると前記赤外線受光素子の信号が正しい時のみ保持部をＯＮし、その正しい信号の運転モードで運転を行う請求項７記載の電源回路。
【請求項９】
前記マイコンは前記開閉部が通電状態となりリセット解除されると前記赤外線受光素子の信号が正しくない時でも前記保持部を一定時間ＯＮさせた後ＯＦＦとする請求項７記載の電源回路。
【請求項１０】
ＯＦＦ信号がスイッチあるいは赤外線受光素子から入力されると前記保持部をある一定時間遅れてＯＦＦにする遅延回路を有した請求項３〜７いずれか記載の電源回路。
【請求項１１】
ＯＦＦ信号がスイッチあるいは赤外線受光素子から入力されると前記保持部をある一定時間遅れてＯＦＦにするマイコンを有した請求項３〜７いずれか記載の電源回路。
【請求項１２】
前記マイコンは前記開閉部が通電状態となりリセット解除されると、商品のもっとも使用される運転モードで運転を開始する請求項１〜６のいずれか記載の電源回路。
【請求項１３】
前記マイコンは、商品の運転モードを不揮発性メモリに書き込み、前記開閉部が通電状態となりリセット解除されるとその書き込まれた運転モードで運転を開始する請求項１〜６のいずれか記載の電源回路。
【請求項１４】
前記開閉部がＯＮし前記電源生成部の出力がされ前記マイコンがリセット解除されると、前記マイコンは前記保持部をＯＮする請求項３〜７いずれか記載の電源回路。
【請求項１５】
前記保持部経由の前記駆動部の電源を商用電源からみて前記開閉部以降から供給する構成とした請求項３、５〜７のいずれか記載の電源回路。
【請求項１６】
前記開閉部以降の回路に前記電源生成部の出力を安定させる電解コンデンサーを設けた請求項１〜７いずれか記載の電源回路。
【請求項１７】
前記開閉部が通電した時のみ商用電源に同期した信号を発生する電源同期回路を設けた請求項１〜７いずれか記載の電源回路。
【請求項１８】
前記ダイオードを順電圧降下の少ないショットキーバリアダイオードにした請求項６記載の電源回路。
【発明の詳細な説明】
【技術分野】
【０００１】
本発明は、一般家電製品に搭載される商用電源を降圧させ制御用に使用する電源回路に関するものである。
【背景技術】
【０００２】
従来、この種の電源回路はスタンバイトランスの１次側商用電源ラインを間欠的にＯＮ／ＯＦＦさせるものが知られている（例えば特許文献１参照）。
【０００３】
以下、その電源回路について図８を参照しながら説明する。
【０００４】
図８に示すように、電源プラグ１０１は例えば商用電源の接続され、この電源プラグ１０１はスタンバイトランスＳＴの１次側と接続されている。また、電源プラグ１０１とスタンバイトランスＳＴの１次側との間には、後述するスイッチＳＷ１、スイッチＳＷ２、スイッチＳＷ３が挿入接続されている。なお、スイッチＳＷ３としては、例えばフォトＭＯＳリレー等の絶縁型スイッチを使用する。
【０００５】
当該スタンバイトランスＳＴの２次側には整流回路Ｄと接続されている。このスタンバイトランスＳＴの２次側からは、降圧された待機用交流電源が発生し、この待機用交流電源は整流回路Ｄにより整流され直流電源となり、コンデンサＣ、レギュレータ１０２を介して負荷回路１０３に供給される。
【０００６】
電圧検出回路１０４は、整流回路Ｄの出力直流電源の電圧すなわちＡ点の電圧を検出し、当該Ａ点の電圧に応じてスイッチＳＷ３のＯＮ／ＯＦＦをコントロールするＯＮ／ＯＦＦコントロール信号を生成する。
【０００７】
上述した構成の電源回路において、当該回路をＯＮにするには、先ずスイッチＳＷ１をＯＮにしてスイッチＳＷ２を一瞬ＯＮする。これにより、Ａ点の電圧が上がることとなる。このとき、電圧検出回路１０４は、スイッチＳＷ３をＯＮ制御する。また、このとき電圧検出回路１０４は、Ａ点の電圧が規定電圧に達するまで、スイッチＳＷ２がＯＦＦされてもスイッチＳＷ３のＯＮ状態を継続する。
【０００８】
次にＡ点の電圧が規定の電圧に達すると電圧検出回路１０４は、スイッチＳＷ３をＯＦＦ制御する。これにより、Ａ点の電圧は次第に低下し、規定電圧以下になると電圧検出回路１０４は、スイッチＳＷ３を再びＯＮにコントロールし、Ａ点の電圧を上昇させる。
【０００９】
このようにスイッチＳＷ３をＯＮ／ＯＦＦして、スタンバイトランスＳＴを駆動することになるので待機電力が低減する。
【００１０】
また、電源をＯＦＦするときにはＳＷ１をＯＦＦとする。
【特許文献１】特開２０００−２２４８５４号公報
【発明の開示】
【発明が解決しようとする課題】
【００１１】
このような従来の電源回路では、商用電源をスイッチＳＷ１とスイッチＳＷ２でＯＮ／ＯＦＦしているため、スイッチのサイズが大きくなり回路基板上に搭載できず、別の位置に設置しリード線で配線しなければいけないため工数増加しコストがかかり、デザイン面での自由度もなくなるという課題があり、基板上に搭載できるサイズの小さいスイッチを使用できる回路構成にすることが要求されている。
【００１２】
また、スイッチＳＷ１で電源をＯＦＦしているため、負荷回路１０３に送風ファンやヒーターを駆動している素子がある場合、電源ＯＦＦ時にヒーターを冷却するための送風ファンの遅延運転ができず、本体の温度が上昇し危険であるという課題があり、遅延運転の可能な安全な回路構成が要求されている。
【００１３】
また、電源のＯＮ操作をスイッチＳＷ１とスイッチＳＷ２で行わなければいけないため使い勝手が悪いという課題があり、使い勝手のよい赤外線リモコンや１つのスイッチで確実に電源のＯＮ／ＦＦできる回路構成が要求されている。
【００１４】
また、電源のＯＮ操作を行った後運転モードの設定が必要となるため、いちいち運転設定スイッチで運転モード設定を行うため使い勝手が悪いという課題があり、電源のＯＮ操作を行ったとき運転する使い勝手のよい回路構成が要求されている。
【００１５】
本発明は、このような従来の課題を解決するものであり、スイッチを小さくし使い勝手がよくコストが安価でデザインの自由度がある安全性の高い待機電力も低減した電源回路を提供することを目的としている。
【００１６】
また、負荷回路１０３にマイコンが搭載されている場合、運転時に商用電源と同期した信号を取ることができず、負荷の切り替え時にノイズが発生するという課題があり、商用電源に同期した信号の取れる回路構成が要求されている。
【００１７】
また、電源ＯＮ時のＡ点の立ち上がりとマイコン電源の立ち上がりに差があるためマイコンが誤動作しないよう設定する必要があり設計に時間がかかるという課題があり、設計が容易な回路構成が要求されている。
【００１８】
また、商用電源をスイッチＳＷ１とスイッチＳＷ２でＯＮ／ＯＦＦするため耐久性に課題があり、耐久性のある回路構成が要求されている。
【００１９】
本発明は、このような従来の課題を解決するものであり、耐久性を向上し設計が容易で商用電源と同期した信号の取れる待機電力を低減した電源回路を提供することを目的としている。
【課題を解決するための手段】
【００２０】
本発明の電源回路は上記目的を達成するために、商用電源を整流平滑する電源平滑部と、この電源平滑部の電圧を入力として降圧した電圧を出力する電源生成部と、この電源生成部の出力を通電非通電できる開閉部を有し、前記電源生成部の出力により動作するマイコンおよび負荷回路を商用電源から見て前記開閉部以降に設けるようにしたものである。
【００２１】
また他の手段は、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部への電圧印加をＯＮ／ＯＦＦ保持できるスイッチを有し、前記電源生成部の出力により動作する負荷回路を商用電源から見て前記開閉部以降に設けるようにしたものである。
【００２２】
また他の手段は、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮスイッチと、前記駆動部への電圧印加が保持できる保持部と、この保持部をＯＦＦにするＯＦＦスイッチを有し、前記電源生成部の出力により動作する負荷回路を商用電源から見て前記開閉部以降に設けるようにしたものである。
【００２３】
また他の手段は、商用電源を整流平滑する電源平滑部と、この電源平滑部の電圧を入力として降圧した電圧を出力する電源生成部と、この電源生成部に設けられた運転／停止できる端子と、この端子に接続されたＯＮスイッチと、このＯＮスイッチと並列に設けられた開閉部と、この開閉部を駆動する駆動部と、この駆動部へ電圧印加が保持できる保持部と、この保持部をＯＦＦするＯＦＦスイッチを有し、前記電源生成部の出力により動作するマイコンおよび負荷回路を商用電源から見て前記開閉部以降に設けるようにしたものである。
【００２４】
また他の手段は、ＯＦＦ信号を入力するＯＦＦスイッチと、このＯＦＦスイッチの入力により前記保持部をＯＦＦにするマイコンを有し、前記電源生成部の出力により動作する前記マイコンおよび負荷回路を商用電源から見て前記開閉部以降に設けるようにしたものである。
【００２５】
また他の手段は、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮ／ＯＦＦスイッチと、前記駆動部と前記ＯＮ／ＯＦＦスイッチとの間に前記駆動部への電圧が印加できる方向に直列に挿入されたダイオードと、前記駆動部への電圧印加が保持できるように前記ＯＮ／ＯＦＦスイッチと前記ダイオードと並列に設けられた保持部と、前記ＯＮ／ＯＦＦスイッチの信号により前記保持部をＯＦＦするマイコンを有し、前記ＯＮ／ＯＦＦスイッチの信号は前記ＯＮ／ＯＦＦスイッチと前記ダイオードの間から信号変換部を介して前記マイコンに入力し、前記電源生成部の出力により動作する前記マイコンおよび負荷回路を商用電源から見て前記開閉部以降に設けるようにしたものである。
【００２６】
また他の手段は、商用電源を整流平滑する電源平滑部と、この電源平滑部の電圧を入力として降圧した電圧を出力する電源生成部と、この電源生成部の出力を通電非通電できる開閉部と、この開閉部を駆動する駆動部と、赤外線リモコン信号に対応して信号を出力する商用電源から見て前記開閉部以前に設けられた赤外線受光素子と、この赤外線受光素子の出力により前記駆動部へ電圧印加するスイッチング素子と、前記駆動部への電圧印加が保持できる保持部と、この保持回路をＯＦＦできるマイコンを有し、前記スイッチング素子は前記赤外線受光素子の出力により前記駆動部へ電圧印加し前記開閉部を閉じ、前記開閉部が閉じた状態で前記マイコンに前記赤外線受光素子から電源ＯＦＦの信号が入力されると前記保持回路をＯＦＦするものとし、前記電源生成部の出力により動作する前記マイコンおよび負荷回路を商用電源から見て前記開閉部以降に設けるようにしたものである。
【００２７】
また他の手段は、前記マイコンは前記開閉部が通電状態となりリセット解除されると前記赤外線受光素子の信号が正しい時のみ保持部をＯＮし、その正しい信号の運転モードで運転を行うようにしたものである。
【００２８】
また、他の手段は、前記マイコンは前記開閉部が通電状態となりリセット解除されると前記赤外線受光素子の信号が正しくない時でも前記保持部を一定時間ＯＮさせた後ＯＦＦとするようにしたものである。
【００２９】
また、他の手段は、ＯＦＦ信号がスイッチあるいは赤外線受光素子から入力されると前記保持部をある一定時間遅れてＯＦＦにする遅延回路を有したものである。
【００３０】
また、他の手段は、ＯＦＦ信号がスイッチあるいは赤外線受光素子から入力されると前記保持部をある一定時間遅れてＯＦＦにするマイコンを有したものである。
【００３１】
また、他の手段は、前記マイコンは前記開閉部が通電状態となりリセット解除されると、商品のもっとも使用される運転モードで運転を開始するようにしたものである。
【００３２】
また、他の手段は、前記マイコンは、商品の運転モードを不揮発性メモリに書き込み、前記開閉部が通電状態となりリセット解除されるとその書き込まれた運転モードで運転を開始するようにしたものである。
【００３３】
これらの手段により、使い勝手がよくコストが安価でデザインの自由度がある安全性の高い待機電力を低減した電源回路を得られる。
【００３４】
また、他の手段は、前記開閉部がＯＮし前記電源生成部の出力がされ前記マイコンがリセット解除されると、前記マイコンは前記保持回路をＯＮするようにしたものである。
【００３５】
この手段により、誤動作の少ない使い勝手のよい待機電力を低減した電源回路が得られる。
【００３６】
また、他の手段は、前記保持部経由の前記駆動部の電源を商用電源からみて前記開閉部以降から供給する構成としたものである。
【００３７】
また、他の手段は、前記開閉部以降の回路に前記電源生成部の出力を安定させる電解コンデンサーを設けたものである。
【００３８】
また、他の手段は、前記開閉部が通電した時のみ商用電源に同期した信号を発生する電源同期回路を設けたものである。
【００３９】
また、他の手段は、前記ダイオードを順電圧降下の少ないショットキーバリアダイオードにしたものである。
【００４０】
これらの手段より、耐久性を向上し設計が容易で商用電源と同期した信号の取れる待機電力を低減した電源回路が得られる。
【発明の効果】
【００４１】
本発明によれば、スイッチが小さくなり使い勝手がよくコストが安価でデザインの自由度がある安全性の高い待機電力を低減した電源回路を提供できる。
【００４２】
また、耐久性を向上し設計が容易で商用電源と同期した信号の取ることのできる効果のある待機電力を低減した電源回路を提供できる。
【発明を実施するための最良の形態】
【００４３】
本発明の請求項１記載の発明は、商用電源を整流平滑する電源平滑部と、この電源平滑部の電圧を入力として降圧した電圧を出力する電源生成部と、この電源生成部の出力を通電非通電できる開閉部を有し、前記電源生成部の出力により動作するマイコンおよび負荷回路を商用電源から見て前記開閉部以降に設けたものであり、開閉部が開いているときには、電流が流れないため待機電力を低減できるとともに、降圧側に開閉部を設けているため、開閉部の大きさや接点容量を小さくでき、基板への搭載が可能となりリード線の配線が不要となりコストが安価となり、デザイン面の自由度も大きくできるという作用を有する。
【００４４】
また、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部への電圧印加をＯＮ／ＯＦＦ保持できるスイッチを有し、前記電源生成部の出力により動作するマイコンおよび負荷回路を商用電源から見て前記開閉部以降に設けたものであり、電源生成部の降圧した出力にＯＮ／ＯＦＦ保持できるスイッチがあるためスイッチのサイズや接点容量を小さくでき、電源ＯＦＦの待機時には開閉部が開き、開閉部以降の負荷に電源生成部の出力が流れないため、待機電力も低減できるという作用を有する。
【００４５】
また、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮスイッチと、前記駆動部への電圧印加が保持できる保持部と、この保持部をＯＦＦにするＯＦＦスイッチを有し、前記電源生成部の出力により動作するマイコンおよび負荷回路を商用電源から見て前記開閉部以降に設けたものであり、電源生成部の降圧した出力に保持しなくてもよいＯＮスイッチとＯＦＦスイッチがあるためさらにスイッチのサイズや接点容量を小さくでき、電源ＯＦＦの待機時には開閉部が開き、開閉部以降の負荷に電源生成部の出力が流れないため、待機電力も低減できるという作用を有する。
【００４６】
また、商用電源を整流平滑する電源平滑部と、この電源平滑部の電圧を入力として降圧した電圧を出力する電源生成部と、この電源生成部に設けられた運転／停止できる端子と、この端子に接続されたＯＮスイッチと、このＯＮスイッチと並列に設けられた開閉部と、この開閉部を駆動する駆動部と、この駆動部へ電圧印加が保持できる保持部と、この保持部をＯＦＦするＯＦＦスイッチを有し、前記電源生成部の出力により動作するマイコンおよび負荷回路を商用電源から見て前記開閉部以降に設けたものであり、前記ＯＮスイッチが押されると前記電源生成部が出力を開始し前記保持部が前記駆動部をＯＮし前記開閉部を閉じ、前記ＯＦＦスイッチを押すと前記保持部をＯＦＦとして前記開閉部を開き前記電源生成部の出力が停止することになるので、前記電源生成部の運転／停止端子に保持しなくてもよいＯＮスイッチ、前記電源生成部の出力に保持しなくてＯＦＦスイッチがあるため、さらにスイッチのサイズや接点容量を小さくでき、電源ＯＦＦの待機時には電源生成部の出力が停止しているので、待機電力もさらに低減できるという作用を有する。
【００４７】
また、ＯＦＦ信号を入力するＯＦＦスイッチと、このＯＦＦスイッチの入力により前記保持部をＯＦＦにするマイコンを有し、前記電源生成部の出力により動作する前記マイコンおよび負荷回路を商用電源から見て前記開閉部以降に設けたものであり、電源生成部の降圧した出力に保持しなくてもよいＯＮスイッチとＯＦＦスイッチがあるため、さらにスイッチのサイズや接点容量を小さくでき、電源ＯＦＦ時にはマイコンが全ての処理を行った後に開閉部が開くことができるので商品への問題がなく、開閉部以降の負荷にも電源生成部の出力が流れないため、待機電力も低減できるという作用を有する。
【００４８】
また、商用電源を整流平滑する電源平滑部と、この電源平滑部の電圧を入力として降圧した電圧を出力する電源生成部と、この電源生成部の出力を通電非通電できる開閉部と、前記電源生成部の出力に設けられた前記開閉部を駆動する駆動部と、この駆動部へ電圧印加できるＯＮ／ＯＦＦスイッチと、前記駆動部と前記ＯＮ／ＯＦＦスイッチとの間に前記駆動部への電圧が印加できる方向に直列に挿入されたダイオードと、前記駆動部への電圧印加が保持できるように前記ＯＮ／ＯＦＦスイッチと前記ダイオードと並列に設けられた保持部と、前記ＯＮ／ＯＦＦスイッチの信号により前記保持部をＯＦＦするマイコンを有し、前記ＯＮ／ＯＦＦスイッチの信号は前記ＯＮ／ＯＦＦスイッチと前記ダイオードの間から前記マイコンに入力し、前記電源生成部の出力により動作する前記マイコンおよび負荷回路を商用電源から見て前記開閉部以降に設けたものであり、前記ＯＮ／ＯＦＦスイッチが押され前記駆動部に電圧が印加されると、前記開閉部が閉じ前記保持部もＯＮし前記開閉部の閉状態が継続し、再度ＯＮ／ＯＦＦスイッチが押されるとその信号は前記ダイオードと前記ＯＮ／ＯＦＦスイッチの間からとられているため、前記保持部の電圧影響を受けずに前記マイコンに入力されるので、前記マイコンはその信号をうけて前記保持部をＯＦＦし開閉部を開き、開閉部以降の負荷に電源生成部の出力が流れなくなるため、ＯＮ／ＯＦＦ動作を前記電源生成部の出力に設けた保持しないＯＮ／ＯＦＦスイッチでできるのでサイズ、接点容量の小さくでき、またＯＮ／ＯＦＦスイッチひとつで操作ができるため使い勝手もよく、待機電力も低減できるという作用を有する。
【００４９】
また、赤外線信号により信号を出力する商用電源から見て前記開閉部以前に設けられた赤外線受光素子と、この赤外線受光素子の出力により前記駆動部へ電圧印加するスイッチング素子と、前記駆動部への電圧印加が保持できる保持部と、この保持部をＯＦＦできるマイコンを有し、前記スイッチング素子は前記赤外線受光素子の出力により前記駆動部へ電圧印加し前記開閉部を閉じ、前記開閉部が閉じた状態で前記マイコンに前記赤外線受光素子から電源ＯＦＦの信号が入力されると前記保持回路をＯＦＦするものであり、前記赤外線受光素子に赤外線信号が入力すると前記スイッチング素子が前記駆動部に電圧を印加し前記開閉部を閉じて前記保持部が前記駆動部への電圧印加を継続する。そして、次に前記赤外線受光素子に電源ＯＦＦの信号が入力されると、前記マイコンは前記保持部をＯＦＦし、前記駆動部への電圧印加がなくなるため、前記開閉部が開き開閉部以降の負荷に電源生成部の出力が流れなくなるため、電源ＯＮ／ＯＦＦ動作を使い勝手のよい赤外線リモコンででき、待機電力も低減できるという作用を有する。
【００５０】
また、前記マイコンは前記開閉部が通電状態となりリセット解除されると前記赤外線受光素子の信号が正しい時のみ保持回路をＯＮし、その正しい信号の運転モードで運転を行うため、前記赤外線受光素子に雑音信号が入力され、前記開閉部が閉じても前記マイコンは赤外線信号が正しくないときには、前記保持部をＯＮしないのでＯＮ状態が続き待機電力が大きくなることがなくなる作用を有する。
【００５１】
また、前記マイコンは前記開閉部が通電状態となりリセット解除されると前記赤外線受光素子の信号が正しくない時でも前記保持回路を一定時間ＯＮさせた後ＯＦＦとするため、前記赤外線受光素子に雑音信号が入り、前記開閉部がＯＮ／ＯＦＦ動作したときでも一定時間ＯＮした後ＯＦＦするため、前記開閉部の開閉回数が減るため、前記開閉部の耐久性が向上するという作用を有する。
【００５２】
また、ＯＦＦ信号がスイッチあるいは赤外線受光素子から入力されると前記保持部をある一定時間遅れてＯＦＦにする遅延回路を有したものであり、ＯＦＦ信号がスイッチあるいは赤外線素子から入力されると遅延回路が動作し、ある一定時間後に前記保持部をＯＦＦし前記開閉部が開くという作用を有する。
【００５３】
また、ＯＦＦ信号がスイッチあるいは赤外線受光素子から入力されると前記保持部をある一定時間遅れてＯＦＦにするマイコンを有したものであり、ＯＦＦ信号がスイッチあるいは赤外線素子から入力されると、マイコンはある一定時間後に前記保持部をＯＦＦし前記開閉部が開くという作用を有する。
【００５４】
また、前記マイコンは前記開閉部が通電状態となりリセット解除されると、商品のもっとも使用される運転モードで運転を開始するため、使い勝手が向上するという作用を有する。
【００５５】
また、前記マイコンは、商品の運転モードを不揮発性メモリに書き込み、前記開閉部が通電状態となりリセット解除されるとその書き込まれた運転モードで運転を開始するため、使い勝手が向上するという作用を有する。
【００５６】
また、前記開閉部がＯＮし前記電源生成部の出力がされ前記マイコンがリセット解除されると、前記マイコンは前記保持回路をＯＮするため、マイコンが確実にリセット解除されているため誤動作を少なくできるという作用を有する。
【００５７】
また、前記保持部経由の前記駆動部の電源を商用電源からみて前記開閉部以降から供給するため、前記開閉部が閉じた状態の時にはある程度の電流が流れるため、前記開閉部の耐久性を向上できるという作用を有する。
【００５８】
また、前記開閉部以降の回路に前記電源生成部の出力を安定させる電解コンデンサーを設けているため、前記開閉部が閉じる瞬間に電解コンデンサーへのチャージ電流が前記開閉部に流れるため、前記開閉部の接点の酸化による接点不良が減るため、前記開閉部の耐久性を向上できるという作用を有する。
【００５９】
また、前記開閉部が通電した時のみ商用電源に同期した信号を発生する電源同期回路を設けた構成としているため、前記マイコンが電源に同期したタイミングで負荷回路を制御できるという作用を有する。
【００６０】
また、前記ダイオードを順電圧降下の少ないショットキーバリアダイオードにしたため、前記電源生成部の出力電圧をあまり下げることなく前記駆動部に印加できるという作用を有する。
【００６１】
以下、本発明の実施の形態について図面を参照しながら説明する。
【００６２】
（実施の形態１）
図１に示すように、電源プラグ１から入力された商用電源は、整流用ダイオード２ａと平滑用コンデンサー２ｂからなる電源平滑部２により、直流電圧に平滑されている。
【００６３】
電源平滑部２で平滑された直流電圧は、ＡＣ／ＤＣコンバーター３ａとチョークコイル３ｂからなる電源生成部３に入力され、電源生成部３からはＤＣ５Ｖに降圧された電圧が出力されており、この出力には出力を切断する開閉部４が設けられている。
【００６４】
さらに、開閉部４より電源生成部３の出力側には、開閉部４をＯＮ／ＯＦＦ駆動する駆動部６と駆動部６に電圧を印加するＯＮ／ＯＦＦ保持できるスイッチ５が接続されている。
【００６５】
また、商用電源からみて開閉部４以降には電源生成部３の出力を安定する電解コンデンサー７と負荷回路８とマイコン１１が接続されている。
【００６６】
また、マイコン１１には、リセット解除すると商品のもっとも使用される運転モード例えば標準運転モードや自動運転モードなどで運転するよう設定されている。
【００６７】
負荷回路８は、表示部８ａやファンモーター９を駆動するファンモーター駆動部８ｂやヒーター１０を駆動するヒーター駆動部８ｃ、運転モード変更部８ｄなどから構成されている。
【００６８】
なお、駆動部６、開閉部４としては、接続される負荷が大きい時には機械式リレーが、接続される負荷が小さいときにはフォトＭＯＳリレーなどが使用される。
【００６９】
上記構成において、待機時および運転時の動作を説明する。
【００７０】
待機状態においては、ＯＮ／ＯＦＦ保持できるスイッチ５はＯＦＦ状態であり、開閉部４を開いており以降の負荷回路８やマイコン１１に電源生成部３の出力電流が流れないため、待機電力はＡＣ／ＤＣコンバーター３ａだけを駆動する小さなものとなっている。
【００７１】
次に、待機状態から運転状態にするには、ＯＮ／ＯＦＦ保持できるスイッチ５をＯＮ保持し開閉部を閉じれば以降の負荷回路８やマイコン１１に電流が流れ運転状態となる。このとき、マイコン１１は商品のもっとも使用頻度の高い運転モードで商品を運転させる。
【００７２】
このように、電源生成部３の出力を電源生成部３のＤＣ５Ｖに降圧された部分に設けたＯＮ／ＯＦＦ保持できるスイッチ５で駆動部６にだけ電圧印加して、ＯＮ／ＯＦＦしているため、商用電源をＯＮ／ＯＦＦ保持できるスイッチに比べて、スイッチ５の大きさや接点容量を小さくできるため、基板への搭載が可能となりリード線の配線が不要となるためコストが安価となり、デザイン面の自由度も大きくできる。
【００７３】
また、運転状態となった時もっとも使用される運転モードで運転開始するので使い勝手が向上する。
【００７４】
（実施の形態２）
実施の形態１と同一部分のものは同一番号を付して詳しい説明は省略する。
【００７５】
図２に示すように、開閉部４より電源生成部３の出力側には、開閉部４をＯＮ／ＯＦＦ駆動する駆動部６と駆動部６に電圧を印加するＯＮスイッチ１２が設けられている。
【００７６】
また、商用電源からみて開閉部４以降には電源生成部３の出力を安定する電解コンデンサー７と負荷回路８とマイコン２０と駆動部６に電圧を印加する保持部１４とマイコン２０にＯＦＦ信号を入力するＯＦＦスイッチ１３と運転状態を記憶する不揮発性メモリ２１が接続されている。
【００７７】
そして、マイコン２０は負荷回路８の運転モード変更部８ｄから運転モードが変更されると、その運転モードを不揮発性メモリ２１に書き込み記憶させ、運転状態となったときには、不揮発性メモリ２１に記憶された運転モードで運転を開始するように設定されている。
【００７８】
なお、駆動部６、開閉部４としては、接続される負荷が大きい時には機械式リレーが、接続される負荷が小さいときにはフォトＭＯＳリレーなどが使用される。
【００７９】
上記構成において、待機時、切り替り時、運転時の動作を説明する。
【００８０】
待機状態においては、駆動部６に電圧が印加されていないため開閉部４はＯＦＦ状態であり、以降の回路には電源生成部３の出力電流が流れないため、待機電力はＡＣ／ＤＣコンバーター３ａだけを駆動する小さなものとなっている。
【００８１】
次に運転状態にするため、ＯＮスイッチ１２を押すと押している間に駆動部６に電圧が印加され開閉部４が閉じ、電解コンデンサー７にチャージ電流が流れＡ点の電位が上昇して保持部１４がＯＮ状態となる。この時点で、ＯＮスイッチ１２を放すとＯＮスイッチ１２経由の駆動部６への電圧印加はなくなるが、保持部１４経由の電圧印加が開閉部４を介して駆動部６にあるため、開閉部４は閉じた状態を継続するため、開閉部４以降に接続されている回路は、開閉部４が閉じた時点から運転状態となる。
【００８２】
また、運転状態となったときには、マイコン２０が不揮発性メモリ２１に記憶されている前回運転モードを読み取り、その運転モードで開始する。
【００８３】
さらに、運転状態から待機状態にするには、ＯＦＦスイッチ１３を押しマイコン２０に信号が入力されると、マイコン２０は保持部１４をＯＦＦとし、駆動部６への電圧印加が遮断され、開閉部４が開き待機状態となる。
【００８４】
このように、電源生成部３の出力に設けたＯＮ／ＯＦＦ保持する必要のないＯＮスイッチ１２とＯＦＦスイッチ１３とで待機状態と運転状態の切り替えを行っているため、スイッチの大きさや接点容量を小さくでき、基板への搭載が可能となりリード線の配線が不要となるためコストが安価となり、デザイン面の自由度も大きくなる。また、ＯＮ／ＯＦＦ保持しないスイッチが使用できるため、大きさがさらに小さくでき基板搭載時の設計が容易となる。
【００８５】
また、開閉部４に機械式リレーを使用しているときには、開閉部４がＯＮした時に電解コンデンサー７にチャージ電流が流れるため、接点部の酸化が防止でき耐久性の向上が図れ、負荷回路８が停止しているときでも、開閉部４に保持部１４経由で駆動部６に電流が流れるため、微小電流に対応した高価な接点を使用する必要がなく開閉部４を安価にできる。
【００８６】
また、運転状態となったときには、前回運転していた運転モードで運転するため、再度設定する必要がなくなり、使い勝手が向上する。
【００８７】
なお、ＯＦＦスイッチ１３の信号をマイコン１１に入力し、マイコン１１で保持部１４をＯＦＦしたが、ＯＦＦスイッチ１３で直接保持部１４をＯＦＦしても同様の作用効果を得ることができる。
【００８８】
なお、運転状態になったとき、不揮発性メモリ２１が記憶している前回運転モードで運転再開させたが、不揮発性メモリ２１に書き込み記憶させた回数の多い使用頻度の高い運転モードで運転再開しても、再度使用頻度の高い運転モードに設定する必要がなくなるので使い勝手が向上する作用効果を得ることができる。
【００８９】
（実施の形態３）
実施の形態１あるいは２と同一部分のものは同一番号を付して詳しい説明は省略する。
図３に示すように、電源平滑部２で平滑された直流電圧は、ＯＮ／ＯＦＦ端子付きＡＣ／ＤＣコンバーター３０ａとチョークコイル３０ｂからなる電源生成部３０に入力され、電源生成部３０からは降圧された電圧が出力される。
【００９０】
ＯＮ／ＯＦＦ端子付きＡＣ／ＤＣコンバーター３０ａのＯＮ／ＯＦＦ端子には、ＯＮスイッチ３１とＯＮスイッチ３１に並列に開閉部３２が接続されている。
【００９１】
また、電源生成部３０の出力には、出力を安定する電解コンデンサー７と負荷回路８とマイコン３６と開閉部３２を駆動する駆動部３３と駆動部３３に電圧を印加できるように接続された保持部３４と、マイコン３６にＯＦＦ信号を入力するＯＦＦスイッチ３５が接続されている。
【００９２】
そして、マイコン３６はＯＦＦスイッチ３５からＯＦＦ信号が入力されると、保持部３４をＯＦＦしている。
【００９３】
なお、駆動部３３、開閉部３２としては、フォトＭＯＳリレーなどが使用される。
【００９４】
上記構成において、待機時、切り替り時、運転時の動作を説明する。
【００９５】
待機状態においては、ＯＮ／ＯＦＦ端子付きＡＣ／ＤＣコンバーター３０ａは停止しており、待機電力は非常に小さなものとなっている。
【００９６】
次に運転状態にするため、ＯＮスイッチ３１を押すと押している間にＯＮ／ＯＦＦ端子付きＡＣ／ＤＣコンバーター３０ａが駆動し出力を行い始めるので、保持部３４がＯＮとなり、駆動部３３に電圧が印加され、開閉部３２が閉じる。この時点で、ＯＮスイッチ３１を放しても、開閉部３２が閉じているためＯＮ／ＯＦＦ端子付きＡＣ／ＤＣコンバーター３０ａは出力を継続する。
【００９７】
さらに、運転状態から待機状態にするには、ＯＦＦスイッチ３５を押しマイコン３６にＯＦＦ信号が入力されると、マイコン３６は保持部３４をＯＦＦとするため、駆動部３３への電圧印加が遮断され、開閉部３２が開き待機状態となる。
【００９８】
このように、ＯＮ／ＯＦＦ端子付きＡＣ／ＤＣコンバーター３０ａに接続したＯＮスイッチ３１と電源生成部３０の降圧した電圧部分に設けたＯＦＦスイッチ３５とで待機状態と運転状態の切り替えを行っているので、スイッチの大きさや接点容量を小さくできるため、基板への搭載が可能となりリード線の配線が不要となるためコストが安価となり、デザイン面の自由度も大きくなる。また、待機時にはＯＮ／ＯＦＦ端子付きＡＣ／ＤＣコンバーター３０ａも停止しているので、さらに待機電力を低減できる。
【００９９】
なお、ＯＦＦスイッチ３５の信号をマイコン１１に入力し、マイコン１１で保持部３４をＯＦＦしたが、ＯＦＦスイッチ３５で直接保持部３４をＯＦＦしても同様の作用効果を得ることができる。
【０１００】
（実施の形態４）
実施の形態１、２あるいは３と同一部分のものは同一番号を付して詳しい説明は省略する。
【０１０１】
図４に示すように、開閉部４より電源生成部３の出力側には、開閉部４をＯＮ／ＯＦＦ駆動する駆動部６と駆動部６に電圧を印加するＯＮ／ＯＦＦスイッチ４５が設けられている。そして、ＯＮ／ＯＦＦスイッチ４５と駆動部６の間には駆動部６に電圧が印加できる方向に電圧降下の低いショットキーバリアダイオード４６が挿入されている。
【０１０２】
また、赤外線リモコン４９の信号を受信し信号を出力する赤外線受光素子４８と赤外線受光素子４８の信号により、ＯＮするスイッチング素子５２も開閉部４より電源生成部３の出力側に設けられている。そして、赤外線受光素子４８の信号はマイコン４１に入力される一方、ドライブ回路５０を介してスイッチング素子５２をＯＮしており、スイッチング素子５２は、ショットキーバリアダイオード４６のカソード側の駆動部６に接続されている。
【０１０３】
一方、商用電源からみて開閉部４以降には、電源生成部３の出力を安定する電解コンデンサー７と負荷回路８とマイコン４１と駆動部６にショットキーバリアダイオード４６のカソード側から電圧を印加する保持部４４が接続されている。そして、ＯＮ／ＯＦＦスイッチ４５の信号はショットキーバリアダイオード４６のアノード側から信号変換部４７を介してマイコン４１に入力されている。
【０１０４】
また、商用電源の一端からは、電源同期回路開閉部５３を介して電源同期回路５４に商用電源が入力されており、電源同期回路５４は電源と同期した信号をマイコン４１に入力している。
【０１０５】
そして、電源同期回路開閉部５３をＯＮ／ＯＦＦする電源同期回路駆動部５５と電源同期回路５４も商用電源からみて開閉部４以降に設けられている。
【０１０６】
マイコン４１は、リセット解除されると保持部４４をＯＮし、ＯＮ／ＯＦＦスイッチ４５から電源ＯＦＦの信号が入力されると、例えば運転時にヒーター１０がＯＮしている時には、ヒーター１０を冷却するためファンモーター９を2分通電した後、保持部４４をＯＦＦする遅延回路４１ａや赤外線リモコン４９信号が正しいか判定する判定部４１ｂが設けられている。
【０１０７】
なお、駆動部６、開閉部４としては、接続される負荷が大きい時には機械式リレーが、接続される負荷が小さいときにはフォトＭＯＳリレーなどが使用され、電源同期回路開閉部５３と電源同期回路駆動部はフォトＭＯＳリレーなどが使用される。
【０１０８】
上記構成において、始めにＯＮ／ＯＦＦスイッチ４５を用いて待機時、切り替え時、運転時の動作を図５のタイムチャートを用いて説明する。
【０１０９】
待機状態においては、駆動部６に電圧が印加されていないため開閉部４はＯＦＦ状態であり、以降の回路には電源生成部３の出力電流が流れないため、待機電力はＡＣ／ＤＣコンバーター３ａだけを駆動する小さなものとなっている。
【０１１０】
次に運転状態にするため、ＯＮ／ＯＦＦスイッチ４５を押すと押している間に電圧降下の低いショットキーバリアダイオード４６を介して駆動部６に電圧が印加され、開閉部４が閉じ電解コンデンサー７にチャージ電流が流れ、Ａ点の電位が上昇し、マイコン４１がリセット解除されると保持部１４をＯＮ状態とする。この時点で、ＯＮ／ＯＦＦスイッチ４５を放すとＯＮ／ＯＦＦスイッチ４５経由の駆動部６への電圧印加はなくなるが、保持部４４経由の電圧印加が駆動部６にあるため、開閉部４は閉じた状態を継続し、開閉部４以降に接続されている回路は、開閉部４が閉じた時点から運転状態となる。
【０１１１】
また、このとき電源同期回路駆動部５５も運転状態となり、電源同期回路開閉部５３がＯＮし電源同期回路５４から商用電源と同期した信号がマイコン４１に入力される。
【０１１２】
そして、このとき負荷回路８の運転モード変更部８ｄからマイコン４１に例えばヒーター１０をＯＮにする入力がされると、マイコン４１は電源同期回路５４の信号に同期させて、ヒーター１０をＯＮとする。
【０１１３】
さらに、運転状態から待機状態にするには、ショットキーバリアダイオード４６がなければ保持部４４がＯＮしているので信号変換部２７に電流が流れ常にマイコン４１にＯＮ／ＯＦＦスイッチ４５が押されているのと同じ信号が入力されてしまうが、ショットキーバリアダイオード４６があるため電流はＯＮ／ＯＦＦスイッチ４５を押したときにしか流れず、ＯＮ／ＯＦＦスイッチ４５を押したときの信号を正しく信号変換部２７がマイコン４１に入力でき、マイコン４１は信号が入力されると、ヒーター１０がＯＮしているので、遅延回路４１ａを動作させファンモータ−９をヒーター１０が冷却する２分間ＯＮさせたのちに保持部４４をＯＦＦし、駆動部６への電圧印加が遮断して、開閉部４が開き待機状態とすることができる。
【０１１４】
次に、赤外線リモコン４９の信号により待機時、運転時の切り替えを行った時の動作を図６のタイムチャートを用いて説明する。
【０１１５】
待機状態については、ＯＮ／ＯＦＦスイッチ４５を用いた時と同じため省略する。
【０１１６】
次に運転状態にするために、赤外線リモコン４９からＯＮ信号を送信すると、その信号を受信した赤外線受光素子４８から信号に応じた出力がされる。次にこの出力により、ドライブ回路５０を介してスイッチング素子５２がＯＮし、駆動部６に電圧が印加され、開閉部４が閉じて電解コンデンサー７にチャージ電流が流れ、Ａ点の電位が上昇しマイコン４１がリセット解除され、マイコン４１の判定部４１ｂが信号を判定し正しければマイコン４１は保持部１４をＯＮ状態として、駆動部６への電圧印加を継続するため、開閉部４も閉じた状態を継続し運転状態となる。
【０１１７】
また、このとき電源同期回路駆動部５５も運転状態となり、電源同期回路開閉部５３がＯＮし電源同期回路５４から商用電源と同期した信号がマイコン４１に入力される。
【０１１８】
そして、このとき赤外線リモコン４９からモード変更信号が出され、その信号を受信した赤外線受光素子からマイコン４１に信号が入力されると、マイコン４１の判定部４１ｂが判定し信号が正しく、例えばヒーター１０をＯＮにする信号ならば、マイコン４１は電源同期回路５４の信号に同期させて、ヒーター１０をＯＮとする。
【０１１９】
さらに、運転状態から待機状態にするには、赤外線リモコン４９からＯＦＦ信号が赤外線受光素子４８に入力されると、赤外線受光素子４８はマイコン４１にＯＦＦ信号を入力する。そして、マイコン４１の判定部４１ｂがこの信号を判定し正しければ、ヒーター１０がＯＮしているので、遅延回路４１ａを動作させファンモータ−９をヒーター１０が冷却する２分間ＯＮさせたのちに保持部４４をＯＦＦし、駆動部６への電圧印加が遮断して、開閉部４が開き待機状態とすることができる。
【０１２０】
なお、遅延回路４１ａをマイコン４１の内部で行ったが、遅延回路４１ａをマイコン４１ａの外部に出し、独立した回路としても同様の作用効果を得ることができる。
【０１２１】
また、電源同期回路駆動部５５をマイコン４１がリセット解除した後、マイコン４１で駆動しても同様の作用効果を得ることができる。
【０１２２】
このように、電源生成部３の出力に設けた接点容量、サイズの小さい保持しないひとつのＯＮ／ＯＦＦスイッチ４５で待機時と運転時間の切り替えが可能となり、基板への搭載ができリード線の配線がなくなるためコストが安価で、デザイン面の自由度も大きくなる。
【０１２３】
また、待機時と運転時間の切り替えを、ひとつのＯＮ／ＯＦＦスイッチ４５や赤外線リモコン４９サイズの小さい保持しないひとつのＯＮ／ＯＦＦスイッチ４５で可能となるので、使い勝手が向上する。
【０１２４】
また、マイコン４１がリセット解除した後、マイコン４１が確実に動作してから保持部４４を保持するので、誤動作も少なくなる。
【０１２５】
また、運転状態から待機状態となるときにヒーター１０が運転していると、マイコン４１の遅延回路４１ａがヒーター１０を冷却するファンモーター９を２分間運転した後、保持部４４をＯＦＦとするので、本体の温度上昇を防止できる安全性が向上する。
【０１２６】
また、運転状態で商用電源と同期した信号を取ることができマイコン４１がその信号に同期してヒーター１０などの負荷をＯＮ／ＯＦＦするため負荷切り替え時のノイズ発生を低減できる。
【０１２７】
また、マイコン４１は例えば太陽のような強い光や他商品の赤外線リモコンによる信号が入力されてリセット解除されても、赤外線受光素子４８からの信号が正しときのみ保持部４４をＯＮするので、開閉部４が閉じた状態が続き待機電力が増えることをなくすことができる。
【０１２８】
また、ＯＮ／ＯＦＦスイッチ４５が押されたときの駆動部６への電圧印加を電圧降下の低いショットキーバリアダイオード４６で行っているので、駆動部６に高い電圧を印加でき、確実に開閉部４を閉じることができ、誤動作が少なくなる。
【０１２９】
（実施の形態５）
実施の形態１、２、３あるいは４と同一部分のものは同一番号を付して詳しい説明は省略する。
【０１３０】
図７に示すように、マイコン５１には赤外線受光素子４９の信号が正しくない時でも、保持部４４を１０分間保持する一定保持回路５１ｃと信号を判定する判定部５１ｂを設けている。１０分間の保持時間は、開閉部４の耐久回数と使用される商品の寿命、開閉頻度等から算出する。
【０１３１】
上記構成において、赤外線リモコン４９の信号が正しくないときの動作を図８のタイムチャートに基づき説明する。
【０１３２】
待機状態で、赤外線受光素子４８は正しくない信号、例えば太陽のような強い光や他の商品の赤外線リモコンによる信号が入力されても、赤外線受光素子４８信号を出力し、ドライブ回路５０を介してスイッチング素子５２がＯＮし、駆動部６に電圧が印加され、開閉部４が閉じて電解コンデンサー７にチャージ電流が流れ、Ａ点の電位が上昇しマイコン４１がリセット解除される。このとき、マイコン５１の判定部５１ｂは信号が正しくないと判断するが、一定保持回路５１ｃは保持部４４を１０分間ＯＮして開閉部４を一定時間閉じた後に保持部４４をＯＦＦにする。
【０１３３】
これにより、正しくない信号が頻繁に入力され開閉部４が頻繁にＯＮ／ＯＦＦすることがなくなるので、開閉部４の耐久性を向上することができる。
【０１３４】
なお、実施の形態１〜５いずれにおいても正出力のＡＣ／ＤＣコンバーターを使用したが、負出力のＡＣ／ＤＣコンバーターを使用しても同様の作用効果を得ることができる。
【産業上の利用可能性】
【０１３５】
使い勝手がよくコストが安価な待機電力を低減した電源回路を提供できるので、常時商用電源に接続されて使用される設備機器の用途にも適用できる。
【図面の簡単な説明】
【０１３６】
【図１】本発明の実施の形態１の電源回路のブロック図
【図２】本発明の実施の形態２の電源回路のブロック図
【図３】本発明の実施の形態３の電源回路のブロック図
【図４】本発明の実施の形態４の電源回路のブロック図
【図５】本発明の実施の形態４の電源回路のＯＮ／ＯＦＦスイッチによるタイミングチャート
【図６】本発明の実施の形態４の電源回路の赤外線リモコン信号によるタイミングチャート
【図７】本発明の実施の形態５の電源回路のタイミングチャート
【図８】従来の電源回路のブロック図
【符号の説明】
【０１３７】
２    電源平滑部
３    電源生成部
４    開閉部
５    スイッチ
６    駆動部
７    電解コンデンサー
８    負荷回路
１１  マイコン
１２  ＯＮスイッチ
１３  ＯＦＦスイッチ
１４  保持部
２０  マイコン
２１  不揮発性メモリ
３０  電源生成部
３１  ＯＮスイッチ
３２  開閉部
３３  駆動部
３４  保持部
３５  ＯＦＦスイッチ
３６  マイコン
４１  マイコン
４４  保持部
４５  ＯＮ／ＯＦＦスイッチ
４６  ショットキーバリアダイオード
４８  赤外線受光素子
５４  電源同期回路
【図１】
2006025479.tif 000003
【図２】
2006025479.tif 000004
【図３】
2006025479.tif 000005
【図４】
2006025479.tif 000006
【図５】
2006025479.tif 000007
【図６】
2006025479.tif 000008
【図７】
2006025479.tif 000009
【図８】
2006025479.tif 000010